(57)【要約】【課題】端子数と映像処理回路の規模を抑えつつ、映像信号に係る複数の方式に対応可能な映像処理装置を提供すること。【解決手段】映像処理装置は、映像信号が入力される複数の入力ポートと、複数の入力ポートと同数設けられた、映像信号の色形式を変換する複数の色形式変換部と、複数の入力ポート及び複数の色形式変換部に接続され、複数の入力ポートに入力された複数の映像信号のうち選択された映像信号から、色形式変換部の入力形式に対応した映像信号を生成する映像信号選択部とを備える。映像信号選択部は、複数の色形式変換部と同数設けられ、複数の入力ポートの全てに接続された複数の解像度変換部を有し、複数の解像度変換部のそれぞれは、複数の入力ポートに入力された複数の映像信号のうち選択された映像信号から、色形式変換部の入力形式に対応した解像度の映像信号を生成する。【選択図】図１
2007312085.tif 000002
【特許請求の範囲】
【請求項１】
映像信号が入力される複数の入力ポートと、
前記複数の入力ポートと同数設けられた、映像信号の色形式を変換する複数の色形式変換部と、
前記複数の入力ポート及び前記複数の色形式変換部に接続され、前記複数の入力ポートに入力された複数の映像信号のうち選択された映像信号から、前記色形式変換部の入力形式に対応した映像信号を生成する映像信号選択部と、
を備えたことを特徴とする映像処理装置。
【請求項２】
請求項１に記載の映像処理装置であって、
前記映像信号選択部は、前記複数の色形式変換部と同数設けられ、前記複数の入力ポートの全てに接続された複数の解像度変換部を有し、
前記複数の解像度変換部のそれぞれは、前記複数の入力ポートに入力された前記複数の映像信号のうち選択された映像信号から、前記色形式変換部の入力形式に対応した解像度の映像信号を生成することを特徴とする映像処理装置。
【請求項３】
請求項２に記載の映像処理装置であって、
前記複数の解像度変換部の少なくともいずれか一つは、前記複数の入力ポートに入力された前記複数の映像信号の各種類に応じて、少なくとも一つの映像信号を選択することを特徴とする映像処理装置。
【請求項４】
請求項２に記載の映像処理装置であって、
前記複数の解像度変換部は、それぞれ前記複数の色形式変換部の一つに独立して接続され、
前記複数の入力ポートに入力された前記複数の映像信号のいずれも選択しない解像度変換部、及び当該非選択解像度変換部に接続された色形式変換部は、各動作を停止することを特徴とする映像処理装置。
【請求項５】
請求項１に記載の映像処理装置であって、
前記複数の色形式変換部で得られた各映像信号に応じた複数の映像を合成して一つの映像を生成する映像合成部を備えたことを特徴とする映像処理装置。
【請求項６】
請求項１に記載の映像処理装置であって、
前記複数の色形式変換部で得られた各映像信号が異なる機器に出力されることを特徴とする映像処理装置。
【請求項７】
請求項１に記載の映像処理装置であって、
前記複数の色形式変換部のそれぞれから前記複数の色形式変換部によって共有して利用されるメモリへのデータ転送を制御し、各色形式変換部から転送されたデータの前記メモリ中の記憶領域を制御するメモリ制御部を備えたことを特徴とする映像処理装置。
【請求項８】
請求項１に記載の映像処理装置であって、
前記色形式変換部は、ＹＣｂＣｒ信号をＲＧＢ信号に変換することを特徴とする映像処理装置。
【請求項９】
請求項１に記載の映像処理装置であって、
前記複数の解像度変換部は、前記複数の入力ポートから入力された映像信号を時分割で順次取り込み、
前記複数の色形式変換部は、並行して処理することを特徴とする映像処理装置。
【発明の詳細な説明】
【技術分野】
【０００１】
本発明は、映像信号に係る複数の方式に対応した映像処理装置に関する。
【背景技術】
【０００２】
映像信号の転送量及び転送速度は、映像の解像度が高くなるに従って増大する。特にアナログ転送方式はノイズの影響を受けやすく、高精度なＡ／Ｄ変換が必要となるため縮小傾向にある。しかし、アナログ転送方式は、従来から幅広く使用されていることや、必要とされる信号線が少ないことから、現在でも多く使用されている。
【０００３】
一方、デジタル転送方式では、デジタル形式の映像信号を転送するため、信号形式を変換する必要がない。短距離転送や基板上での転送にはデジタルパラレル転送方式が利用される。但し、転送速度を上げるとタイミングを合わせることが困難となるため、高解像度の映像を転送する際にはデータ幅を増やす等の対策が施される。しかし、長距離転送の場合は、タイミングの制約やノイズによる劣化、データ幅の増大等の理由から、差動シリアル転送方式が一般的である。現在は、様々な映像機器でこれらの転送方式が混在している状況である。
【０００４】
映像信号の色形式には主にＲＧＢ形式とＹＣｂＣｒ形式（ＹＵＶ形式ともいう。）があり、映像ソースの特徴に応じてそれぞれ用いられている。また、映像の精度によって、ビット数や各要素の比率が異なるＲＧＢ３２ビット、ＲＧＢ１６ビット、ＹＣｂＣｒ４：２：２、ＹＣｂＣｒ４：４：４等の形式に分類される。
【発明の開示】
【発明が解決しようとする課題】
【０００５】
以上説明した映像信号の多様化と近年のマルチメディア化のため、映像信号のチャネル数やデータ形式、色形式、ビット数といった方式が異なる複数の映像を一つの画面に重ねて表示したり、切り替えて表示することのできる映像処理装置が望まれている。通常、映像処理装置は、特定の方式に対応したインターフェースを備える。当該インターフェースがこの特定の方式にとって最適であっても、別の方式にとっては適当ではないことがある。このため、別の方式にとって最適なインターフェースを後付けすることのできる映像処理装置が知られている。しかし、このような映像処理装置は、複数の方式に対応する分、映像信号を入出力するための端子の数が増し、かつ映像処理回路の規模が大きくなってしまうという課題があった。
【０００６】
本発明の目的は、端子数と映像処理回路の規模を抑えつつ、映像信号に係る複数の方式に対応可能な映像処理装置を提供することである。
【課題を解決するための手段】
【０００７】
本発明は、映像信号が入力される複数の入力ポートと、前記複数の入力ポートと同数設けられた、映像信号の色形式を変換する複数の色形式変換部と、前記複数の入力ポート及び前記複数の色形式変換部に接続され、前記複数の入力ポートに入力された複数の映像信号のうち選択された映像信号から、前記色形式変換部の入力形式に対応した映像信号を生成する映像信号選択部と、を備えた映像処理装置を提供する。
【０００８】
上記映像処理装置において、前記映像信号選択部は、前記複数の色形式変換部と同数設けられ、前記複数の入力ポートの全てに接続された複数の解像度変換部を有し、前記複数の解像度変換部のそれぞれは、前記複数の入力ポートに入力された前記複数の映像信号のうち選択された映像信号から、前記色形式変換部の入力形式に対応した解像度の映像信号を生成しても良い。
【０００９】
上記映像処理装置において、前記複数の解像度変換部の少なくともいずれか一つは、前記複数の入力ポートに入力された前記複数の映像信号の各種類に応じて、少なくとも一つの映像信号を選択しても良い。
【００１０】
上記映像処理装置において、前記複数の解像度変換部は、それぞれ前記複数の色形式変換部の一つに独立して接続され、前記複数の入力ポートに入力された前記複数の映像信号のいずれも選択しない解像度変換部、及び当該非選択解像度変換部に接続された色形式変換部は、各動作を停止しても良い。
【００１１】
上記映像処理装置は、前記複数の色形式変換部で得られた各映像信号に応じた複数の映像を合成して一つの映像を生成する映像合成部を備えても良い。
【００１２】
上記映像処理装置において、前記複数の色形式変換部で得られた各映像信号が異なる機器に出力されても良い。
【００１３】
上記映像処理装置は、前記複数の色形式変換部のそれぞれから前記複数の色形式変換部によって共有して利用されるメモリへのデータ転送を制御し、各色形式変換部から転送されたデータの前記メモリ中の記憶領域を制御するメモリ制御部を備えても良い。
【００１４】
上記映像処理装置において、前記色形式変換部は、ＹＣｂＣｒ信号をＲＧＢ信号に変換しても良い。
【００１５】
上記映像処理装置において、前記複数の解像度変換部は、前記複数の入力ポートから入力された映像信号を時分割で順次取り込み、前記複数の色形式変換部は、並行して処理しても良い。
【発明の効果】
【００１６】
本発明によれば、端子数と映像処理回路の規模を抑えつつ、映像信号に係る複数の方式に対応可能な映像処理装置を提供することができる。
【発明を実施するための最良の形態】
【００１７】
以下、本発明の実施形態について、図面を参照して説明する。
【００１８】
（第１の実施形態）
図１は、第１の実施形態の映像処理装置の構成を示すブロック図である。図１に示すように、第１の実施形態の映像処理装置１００は、入力ポート１０１ａ〜１０１ｃと、映像信号選択部１０３と、映像処理部１０５ａ〜１０５ｃと、映像合成部１０７と、後処理部１０９と、メモリ制御部１１１とを備える。
【００１９】
入力ポート１０１ａ〜１０１ｃは、それぞれ８ビットのデジタル映像信号が入力される端子である。８ビットのデジタル映像信号とは、例えば、８ビットＹＣｂＣｒ４：２：２映像信号である。映像信号選択部１０３は、入力ポート１０１ａ〜１０１ｃから入力された映像信号を選択し、当該選択された映像信号から２４ビットのデジタル映像信号を生成する。２４ビットのデジタル映像信号とは、例えば、２４ビットＹＣｂＣｒ４：４：４映像信号である。
【００２０】
映像信号選択部１０３は、図１に示すように、入力ポート１０１ａ〜１０１ｃと同数の解像度変換部１５１ａ〜１５１ｃを有する。各解像度変換部１５１は、入力ポート１０１ａ〜１０１ｃの全てに接続されている。各解像度変換部１５１は、入力ポート１０１ａ〜１０１ｃから入力された映像信号を選択して取り込む。なお、各解像度変換部１５１は、入力ポート１０１ａ〜１０１ｃから入力された映像信号の全てを取り込むことも、全く取り込まないことも、一部分のみ取り込むこともできる。解像度変換部１５１ａ〜１５１ｃの少なくともいずれか一つは、取り込んだ映像信号から２４ビットのデジタル映像信号を生成して出力する。各解像度変換部１５１から出力される２４ビットのデジタル映像信号は、予め設定された映像処理部１０５ａ〜１０５ｃへの信号入力形式である。
【００２１】
映像処理部１０５ａ〜１０５ｃのそれぞれは、色形式変換部１５３を有する。解像度変換部１５１ａから出力された映像信号は映像処理部１０５ａの色形式変換部１５３ａに入力され、解像度変換部１５１ｂから出力された映像信号は映像処理部１０５ｂの色形式変換部１５３ｂに入力され、解像度変換部１５１ｃから出力された映像信号は映像処理部１０５ｃの色形式変換部１５３ｃに入力される。各色形式変換部１５３は、入力された映像信号の色形式を別の色形式に変換する。本実施形態では、各色形式変換部１５３は、入力されたＹＣｂＣｒ信号をＲＧＢ信号に変換する。また、ＲＧＢ信号が入力された場合、各色形式変換部１５３は当該ＲＧＢ信号をＹＣｂＣｒ信号に変換しても良い。
【００２２】
メモリインターフェース１５５は、本実施形態の映像処理装置１００の外部に設けられたメモリ１７１と映像処理装置１００のインターフェースであり、映像処理部１０５ａ〜１０５ｃのそれぞれに設けられている。なお、メモリ１７１は、映像処理部１０５ａ〜１０５ｃによって共有して利用される。色形式変換部１５３が行う色形式変換の際に、メモリ１７１を使用する処理が発生した場合は、色形式変換部１５３はメモリインターフェース１５５を介してメモリ１７１にアクセスする。
【００２３】
映像合成部１０７は、色形式変換部１５３ａ〜１５３ｃで変換された複数の映像信号が示す各映像を合成して一つの合成映像を生成する。なお、映像合成部１０７は、ラインバッファ及びフレームバッファを有しても良い。後処理部１０９は、映像合成部１０７で生成された合成映像を映像処理装置１００の外部に設けられたモニタ１７３に表示するための処理を行なう。
【００２４】
メモリ制御部１１１は、各映像処理部１０５からメモリ１７１へのデータ転送を制御し、メモリインターフェース１５５を介して各映像処理部１０５から転送されたデータを格納するメモリ１７１中の記憶領域を制御する。なお、前記データは、色形式変換部１５３によって変換された映像信号が示す映像データである。
【００２５】
入力ポート１０１ａ〜１０１ｃに入力された映像信号を全く取り込まない解像度変換部、及び当該解像度変換部に対応する映像処理部は、各動作を自動的に停止する、又は外部からの制御により各動作が停止される。動作を停止する映像処理部は、メモリ１７１へのアクセス権の放棄をメモリ制御部１１１に通知する。この場合、他の映像処理部は、メモリ１７１の記憶領域をより多く利用することができる。
【００２６】
（第１の実施例）
図２及び図３を参照して、入力ポート１０１ａ〜１０１ｃにそれぞれ８ビットＹＣｂＣｒ４：２：２映像信号が入力される際の、本実施形態の映像処理装置１００の動作について説明する。図２は、８ビットＹＣｂＣｒ４：２：２映像信号及び２４ビットＹＣｂＣｒ４：４：４映像信号を示す説明図である。図３は、８ビットＹＣｂＣｒ４：２：２映像信号が入力される映像処理装置１００の処理を示す説明図である。
【００２７】
図３に示すように、入力ポート１０１ａ〜１０１ｃにそれぞれ８ビットＹＣｂＣｒ４：２：２映像信号が入力された際、解像度変換部１５１ａは、入力ポート１０１ａからの映像信号を取り込み（ＯＮ）、入力ポート１０１ｂ，１０１ｃからの映像信号は取り込まない（ＯＦＦ）。解像度変換部１５１ｂは、入力ポート１０１ｂからの映像信号を取り込み、入力ポート１０１ａ，１０１ｃからの映像信号は取り込まない。解像度変換部１５１ｃは、入力ポート１０１ｃからの映像信号を取り込み、入力ポート１０１ａ，１０１ｂからの映像信号は取り込まない。
【００２８】
解像度変換部１５１ａは、入力ポート１０１ａに入力された８ビットＹＣｂＣｒ４：２：２映像信号から２４ビットＹＣｂＣｒ４：４：４映像信号を生成して、これを映像処理部１０５ａに出力する。解像度変換部１５１ｂは、入力ポート１０１ｂに入力された８ビットＹＣｂＣｒ４：２：２映像信号から２４ビットＹＣｂＣｒ４：４：４映像信号を生成して、これを映像処理部１０５ｂに出力する。解像度変換部１５１ｃは、入力ポート１０１ｃに入力された８ビットＹＣｂＣｒ４：２：２映像信号から２４ビットＹＣｂＣｒ４：４：４映像信号を生成して、これを映像処理部１０５ｃに出力する。
【００２９】
各色形式変換部１５３は、２４ビットＹＣｂＣｒ４：４：４映像信号の色形式をＲＧＢ形式に変換する。映像合成部１０７は、各映像処理部１０５から出力された映像信号を合成して一つの合成映像を生成する。合成映像を示す映像信号は後処理部１０９に送られ、後処理部１０９で処理された後、モニタ１７３には合成映像が表示される。
【００３０】
なお、合成映像は全ての映像処理部１０５ａ〜１０５ｃから出力された映像信号を合成した映像に限らず、一部の映像処理部から出力された映像信号を選択して合成した映像であっても良い。例えば、映像処理部１０５ａ〜１０５ｃから選択されたいずれか２つ又は１つの映像処理部から出力された映像信号を合成した映像であっても良い。さらに、選択される映像処理部は、ユーザによる操作に応じて切り替えられても良い。
【００３１】
（第２の実施例）
図４及び図５を参照して、入力ポート１０１ａ，１０１ｂに１６ビットＹＣｂＣｒ４：２：２映像信号が入力され、入力ポート１０１ｃに８ビットＹＣｂＣｒ４：２：２映像信号が入力される際の、本実施形態の映像処理装置１００の動作について説明する。図４は、１６ビットＹＣｂＣｒ４：２：２映像信号及び２４ビットＹＣｂＣｒ４：４：４映像信号を示す説明図である。図５は、１６ビットＹＣｂＣｒ４：２：２映像信号及び８ビットＹＣｂＣｒ４：２：２映像信号が入力される映像処理装置１００の処理を示す説明図である。
【００３２】
図５に示すように、入力ポート１０１ａに８ビット輝度（Ｙ）信号が入力され、入力ポート１０１ｂに８ビット色差（ＣｂＣｒ）信号が入力され、入力ポート１０１ｃに８ビットＹＣｂＣｒ４：２：２映像信号が入力された際、解像度変換部１５１ａは、入力ポート１０１ａ，１０１ｂからの映像信号を取り込み（ＯＮ）、入力ポート１０１ｃからの映像信号は取り込まない（ＯＦＦ）。解像度変換部１５１ｂは、入力ポート１０１ａ〜１０１ｃからのいずれの映像信号も取り込まない。解像度変換部１５１ｃは、入力ポート１０１ｃからの映像信号を取り込み、入力ポート１０１ａ，１０１ｂからの映像信号は取り込まない。
【００３３】
解像度変換部１５１ａは、入力ポート１０１ａに入力された８ビット輝度信号及び入力ポート１０１ｂに入力された８ビット色差信号から２４ビットＹＣｂＣｒ４：４：４映像信号を生成して、これを映像処理部１０５ａに出力する。解像度変換部１５１ｂは映像信号を全く取り込んでいないため、解像度変換部１５１ｂ及び映像処理部１０５ｂは各動作を停止する。解像度変換部１５１ｃは、入力ポート１０１ｃに入力された８ビットＹＣｂＣｒ４：２：２映像信号から２４ビットＹＣｂＣｒ４：４：４映像信号を生成して、これを映像処理部１０５ｃに出力する。
【００３４】
色形式変換部１５３ａ，１５３ｃは、２４ビットＹＣｂＣｒ４：４：４映像信号の色形式をＲＧＢ形式に変換する。映像合成部１０７は、映像処理部１０５ａ，１０５ｃから出力された映像信号を合成して一つの合成映像を生成する。合成映像を示す映像信号は後処理部１０９に送られ、後処理部１０９で処理された後、モニタ１７３には合成映像が表示される。
【００３５】
（第３の実施例）
図６及び図７を参照して、入力ポート１０１ａ〜１０１ｃに２４ビットＹＣｂＣｒ４：４：４映像信号が入力される際の、本実施形態の映像処理装置１００の動作について説明する。図６は、２４ビットＹＣｂＣｒ４：４：４映像信号を示す説明図である。図７は、２４ビットＹＣｂＣｒ４：４：４映像信号が入力される映像処理装置１００の処理を示す説明図である。
【００３６】
図７に示すように、入力ポート１０１ａに８ビット輝度（Ｙ）信号が入力され、入力ポート１０１ｂに８ビット色差（Ｃｂ）信号が入力され、入力ポート１０１ｃに８ビット色差（Ｃｒ）信号が入力された際、解像度変換部１５１ａは、入力ポート１０１ａ〜１０１ｃからの全ての映像信号を取り込む（ＯＮ）。解像度変換部１５１ｂ，１５１ｃは、入力ポート１０１ａ〜１０１ｃからのいずれの映像信号も取り込まない（ＯＦＦ）。
【００３７】
解像度変換部１５１ａは、入力ポート１０１ａに入力された８ビット輝度信号及び入力ポート１０１ｂ，１０１ｃに入力された各８ビット色差信号から２４ビットＹＣｂＣｒ４：４：４映像信号を生成して、これを映像処理部１０５ａに出力する。解像度変換部１５１ｂ，１５１ｃは映像信号を全く取り込んでいないため、解像度変換部１５１ｂ，１５１ｃ及び映像処理部１０５ｂ，１０５ｃは各動作を停止する。
【００３８】
色形式変換部１５３ａは、２４ビットＹＣｂＣｒ４：４：４映像信号の色形式をＲＧＢ形式に変換する。映像合成部１０７は、映像処理部１０５ａから出力された映像信号を後処理部１０９に送る。映像信号が後処理部１０９で処理された後、モニタ１７３には映像が表示される。
【００３９】
（第４の実施例）
図８及び図９を参照して、入力ポート１０１ａ〜１０１ｃに２４ビットＲＧＢ映像信号が入力される際の、本実施形態の映像処理装置１００の動作について説明する。図８は、２４ビットＲＧＢ映像信号を示す説明図である。図９は、２４ビットＲＧＢ映像信号が入力される映像処理装置１００の処理を示す説明図である。
【００４０】
図９に示すように、入力ポート１０１ａに８ビットＲ信号が入力され、入力ポート１０１ｂに８ビットＧ信号が入力され、入力ポート１０１ｃに８ビットＢ信号が入力された際、解像度変換部１５１ａは、入力ポート１０１ａ〜１０１ｃからの全ての映像信号を取り込む（ＯＮ）。解像度変換部１５１ｂ，１５１ｃは、入力ポート１０１ａ〜１０１ｃからのいずれの映像信号も取り込まない（ＯＦＦ）。
【００４１】
入力ポート１０１ａ〜１０１ｃに入力された２４ビットＲＧＢ映像信号は解像度変換部１５１ａを介して映像処理部１０５ａに入力される。色形式変換部１５３ａは、必要に応じて、２４ビットＲＧＢ映像信号を２４ビットＹＣｂＣｒ４：４：４映像信号に変換する。以下、第１の実施例と同様である。
【００４２】
本実施形態では、解像度変換部１５１ａ〜１５１ｃ及び映像処理部１０５ａ〜１０５ｃがそれぞれ独立に動作している。このため、追加のインターフェースを追加することなく、映像信号に係る複数の方式に対応した映像処理装置を提供することができる。したがって、端子数と映像処理回路の規模を抑えることができる。さらに、入力ポート１０１ａ〜１０１ｃに入力された複数の映像信号のうち一部だけをモニタ１７３に表示することができる。
【００４３】
本実施形態の映像処理装置１００は、入力ポート、解像度変換部及び映像処理部を３組備えているが、３組に限定されない。また、入力ポート１０１ａ〜１０１ｃにそれぞれ８ビットのデジタル映像信号が入力されると説明したが、８ビットに限定されない。また、映像信号選択部１０３は２４ビットのデジタル映像信号を出力すると説明したが、２４ビットに限定されない。また、メモリ１７１は映像処理装置１００の外部に設けられていると説明したが、映像処理装置１００の内部に設けられても良い。また、上記実施形態では、映像処理部１０５ａ〜１０５ｃから出力された映像信号が全て映像合成部１０７に入力されているが、各映像信号は異なる機器に出力されても良い。また、モニタ１７３が複数設けられ、後処理部１０９が合成映像の映像信号を各モニタに出力しても良い。また、後処理部１０９からの映像信号の出力先はモニタ１７３に限らず、他の機器であっても良い。
【００４４】
（第２の実施形態）
第１の実施形態では、１つの映像信号を１つの解像度変換部及び映像処理部で処理する形態を説明した。第２の実施形態では、１つの映像信号を複数の解像度変換部及び映像処理部で処理する。なお、第２の実施形態の映像処理装置の構成は第１の実施形態と同様であるため、図示及び各構成要素の説明は省略する。
【００４５】
本実施形態では、入力ポート１０１ａ〜１０１ｃのいずれかに入力された映像信号を、解像度変換部１５１ａ〜１５１ｃが時分割で順次取り込む。なお、映像信号の切り替えの最小単位は１画素であり、最大単位は１ラインである。解像度変換部１５１が取り込んだ映像信号は、当該解像度変換部に対応する映像処理部１０５で処理され、映像合成部１０７又はメモリ上で配列される。
【００４６】
１画素単位で切り替える場合、１つの映像信号が複数の解像度変換部及び複数の映像処理部によって処理されるため、映像処理装置が膨大なデータ量の映像信号を処理する必要がある場合であっても、映像信号選択部１０３や各映像処理部１０５の処理能力を上げる必要がない。また、ライン単位で切り替える場合、前のライン情報をメモリ１７１に記憶しておくことで前後のラインを参照した映像処理を行なうことができる。
【図面の簡単な説明】
【００４７】
【図１】第１の実施形態の映像処理装置の構成を示すブロック図
【図２】８ビットＹＣｂＣｒ４：２：２映像信号及び２４ビットＹＣｂＣｒ４：４：４映像信号を示す説明図
【図３】８ビットＹＣｂＣｒ４：２：２映像信号が入力される映像処理装置の処理を示す説明図
【図４】１６ビットＹＣｂＣｒ４：２：２映像信号及び２４ビットＹＣｂＣｒ４：４：４映像信号を示す説明図
【図５】１６ビットＹＣｂＣｒ４：２：２映像信号及び８ビットＹＣｂＣｒ４：２：２映像信号が入力される映像処理装置の処理を示す説明図
【図６】２４ビットＹＣｂＣｒ４：４：４映像信号を示す説明図
【図７】２４ビットＹＣｂＣｒ４：４：４映像信号が入力される映像処理装置の処理を示す説明図
【図８】２４ビットＲＧＢ映像信号を示す説明図
【図９】２４ビットＲＧＢ映像信号が入力される映像処理装置の処理を示す説明図
【符号の説明】
【００４８】
１００  映像処理装置
１０１ａ〜１０１ｃ  入力ポート
１０３  映像信号選択部
１０５ａ〜１０５ｃ  映像処理部
１０７  映像合成部
１０９  後処理部
１１１  メモリ制御部
１５１ａ〜１５１ｃ  解像度変換部
１５３ａ〜１５３ｃ  色形式変換部
１５５ａ〜１５５ｃ  メモリインターフェース
１７１  メモリ
１７３  モニタ
【図１】
2007312085.tif 000003
【図２】
2007312085.tif 000004
【図３】
2007312085.tif 000005
【図４】
2007312085.tif 000006
【図５】
2007312085.tif 000007
【図６】
2007312085.tif 000008
【図７】
2007312085.tif 000009
【図８】
2007312085.tif 000010
【図９】
2007312085.tif 000011